(57)【要約】【課題】灯具の各種類毎に予め設定した抵抗値の抵抗を、各灯具内で上記ＬＥＤの直列回路に対して並列に接続すると共に、上記電源部に、灯具が接続されていない状態では灯具の接続部に印加される電圧をすべての種類のＶｆ以下に制限する電圧制御部と、灯具が接続されると、灯具に印加される電圧がＶｆ以下の状態で灯具に設けた上記抵抗の抵抗値から灯具の種類を判別し、接続された灯具の種類の応じた電流がＬＥＤに流れるように定電流制御を行うものでは、設定できる機種数に限界がある。【解決手段】抵抗に検出用ダイオードを直列に接続したものとしないものとを設けて、抵抗のＶ−Ｉ線図を検出用ダイオードのＶｆＤずらすことにより、設定できる機種数を増やすようにした。【選択図】  図５
2018198184.tif 000002
【特許請求の範囲】
【請求項１】
複数個のＬＥＤが直列に接続された着脱式の灯具と、この灯具が着脱自在に接続されると灯具に対して電力を供給して灯具のＬＥＤを発光させる電源部とを備えたＬＥＤ照明装置であって、上記灯具として、ＬＥＤに流す電流値の相違する複数種類の灯具を有し、各種類毎に予め設定した抵抗値の抵抗を、各灯具内で上記ＬＥＤの直列回路に対して並列に接続すると共に、上記電源部に、灯具が接続されていない状態では灯具の接続部に印加される電圧をすべての種類の灯具の順方向降下電圧（Ｖｆ）以下に制限する電圧制御部と、灯具が接続されると、灯具に印加される電圧がＶｆ以下の状態で灯具に設けた上記抵抗の抵抗値から灯具の種類を判別し、接続された灯具の種類の応じた電流がＬＥＤに流れるように定電流制御を行うものにおいて、上記灯具のＬＥＤに直列に接続された抵抗に検出用ダイオードが直列に接続されたグループとダイオードが接続されていないグループとが存在し、上記電源部はこれら各グループ毎に灯具の種類を判別することを特徴とするＬＥＤ照明装置。
【請求項２】
上位抵抗に直列に接続される検出用のダイオードの個数が複数種類有り、この検出用のダイオードの個数毎にグループ分けを行い、各グループ毎に灯具の種類を判別することを特徴とする請求項１に記載のＬＥＤ照明装置。
【発明の詳細な説明】
【技術分野】
【０００１】
本発明は、ＬＥＤが組み込まれた複数種類の灯具を電源部に着脱自在に接続したＬＥＤ照明装置に関する。
【背景技術】
【０００２】
１個の電源部に対して複数種類の灯具を着脱自在に接続するＬＥＤ照明器具について、灯具内に設けられている発光用のＬＥＤに対して灯具の種類毎に設定された抵抗値の抵抗を直列に接続し、少なくとも初回点灯時に、発光用のＬＥＤの順方向降下電圧（以下、単にＶｆと言う）を灯具に印加した状態、すなわちＬＥＤがまだ発光しない状態で抵抗値を読み取り、その灯具の種類を電源部側が判別するものが提案されている（例えば、特許文献１参照）。
【先行技術文献】
【特許文献】
【０００３】
【特許文献１】特開２０１５−１３３２２９号公報（図４）
【発明の概要】
【発明が解決しようとする課題】
【０００４】
上記特許文献１に記載のされたものでは、発光用のＬＥＤの両端に印加される電圧がこのＬＥＤのＶｆ以下の状態、すなわちＬＥＤが発光を開始する前の状態で抵抗値を読み取るものである。抵抗値を読み取る具体的な構成は、電源部内に別途抵抗を設けておき、灯具が接続されると灯具内の抵抗と電源部内の抵抗とが直列に接続され、その状態で発生する分圧を電源部内のマイコンが取り込んで機種を判別するように構成されている。
【０００５】
従って、灯具の機種毎に固有の抵抗値を設定する場合には、灯具内の抵抗の抵抗値の誤差などを考慮すると、設定できる機種数に限界が有り、さらに多くの機種を設定できないという不具合がある。
【０００６】
そこで本発明は、上記の問題点に鑑み、上記従来のものより多くの機種を設定することのできるＬＥＤ照明装置を提供することを課題とする。
【課題を解決するための手段】
【０００７】
上記課題を解決するために本発明によるＬＥＤ照明装置は、複数個のＬＥＤが直列に接続された着脱式の灯具と、この灯具が着脱自在に接続されると灯具に対して電力を供給して灯具のＬＥＤを発光させる電源部とを備えたＬＥＤ照明装置であって、上記灯具として、ＬＥＤに流す電流値の相違する複数種類の灯具を有し、各種類毎に予め設定した抵抗値の抵抗を、各灯具内で上記ＬＥＤの直列回路に対して並列に接続すると共に、上記電源部に、灯具が接続されていない状態では灯具の接続部に印加される電圧をすべての種類の灯具の順方向降下電圧（Ｖｆ）以下に制限する電圧制御部と、灯具が接続されると、灯具に印加される電圧がＶｆ以下の状態で灯具に設けた上記抵抗の抵抗値から灯具の種類を判別し、接続された灯具の種類の応じた電流がＬＥＤに流れるように定電流制御を行うものにおいて、上記灯具のＬＥＤに直列に接続された抵抗に検出用ダイオードが直列に接続されたグループとダイオードが接続されていないグループとが存在し、上記電源部はこれら各グループ毎に灯具の種類を判別することを特徴とする。
【０００８】
照明用のＬＥＤに並列に接続した抵抗に検出用のダイオードが接続されていない状態では灯具を電源部に接続し、電源部からの通電を開始すると同時に抵抗に電流が流れ始める。これに対して抵抗に検出用のダイオードを接続しておけば、この検出用ダイオードのＶｆを超える電圧が灯具に印加されるまでは抵抗に電流が流れない。そして、検出用ダイオードのＶｆを超えた時点から抵抗に電流が流れ出す。これにより、電源部側では接続された灯具が、検出用ダイオードが接続されていないグループと接続されていないグループとのいずれかを判別することができる。器具側では各グループにそれぞれ機種を設定できるので、従来のものより設定できる機種数が大幅に増える。
【０００９】
なお、上位抵抗に直列に接続される検出用のダイオードの個数が複数種類有り、この検出用のダイオードの個数毎にグループ分けを行い、各グループ毎に灯具の種類を判別するように設定すれば、さらにグループ数を増やすことができ、全体として設定できる機種数がさらに増加する。
【発明の効果】
【００１０】
以上の説明から明らかなように、本発明は、検出用ダイオードの有無や検出用ダイオードの個数によって灯具の機種設定のグループを増やすことができ、検出用ダイオードを用いない従来のものより多くの機種数を設定することができる。
【図面の簡単な説明】
【００１１】
【図１】本発明によるＬＥＤ照明器具が適用される浴室を示す図
【図２】ＬＥＤ照明器具の全体構成を示すブロック図
【図３】電源部の内部構造を示すブロック図
【図４】機種判別のための分圧抵抗の構成を示す図
【図５】検出用ダイオードの有無及び個数の違いを示すV-I線図
【発明を実施するための形態】
【００１２】
図１を参照して、１は本発明によるＬＥＤ照明装置が適用される浴室である。本ＬＥＤ照明装置は、１個の電源部２と複数個の灯具３１，３２，３３，３４とから構成されている。
【００１３】
電源部２は浴室１の天井１１の上部空間内に収納されており、通常は浴室1内に露出しないように構成されている。この電源部２には外部の商用電源２１から交流電力の供給を受けており、浴室１に隣接する脱衣場側に設けられたスイッチ２２によって灯具３１，３２，３３，３４の点消火が連動して一斉に行われるように構成されている。
【００１４】
図２を参照して、電源部２には端子部４１，４２，４３，４４が設けられており、各端子部４１，４２，４３，４４に各々機種の異なる灯具３１，３２，３３，３４が接続される。なお、各端子部４１，４２，４３，４４に接続する灯具は特定の機種に制限されておらず、いずれの端子部にいずれの灯具を接続してもよい。
【００１５】
これら灯具３１，３２，３３，３４は各々機種が相違するので、各内部のＬＥＤ３１０，３２０，３３０，３４０に流す電流値が相違している。そこで、機種を判別するための抵抗３１１，３２１，３３１，３４１をＬＥＤ３１０，３２０，３３０，３４０に対して並列になるように各灯具３１，３２，３３，３４内に組み込んだ。そして、灯具32には抵抗３２１に対して検出用ダイオード３２２を直列に接続し、灯具３３の抵抗３３１には検出用ダイオード３３２を直列に接続した。また、灯具３４には抵抗３４１に対して２個の検出用ダイオード３４２，３４３を直列に接続した。いずれかの機種の灯具がいずれかの端子部に接続されると、灯具内に組み込まれている抵抗の抵抗値から灯具の機種を読み取り、その機種に対応した電流値となるように定電流制御を行うように構成されている。
【００１６】
図３を参照して、以下に検出用ダイオードが組み込まれていない灯具３１を例に説明する。電源部２内には外部からの商用電源からの交流電力を所定の電圧の直流電力に変換する変換部５１と、電源部２内の制御を司るマイコン部５とを備えている。また、各端子部４１，４２，４３，４４には各々照明制御部５２が接続されている。この照明制御部５２は変換部５１から供給される直流電力の電圧を調節すると共に、各端子部に接続された灯具へ流す電流を制御するものである。そして、この電圧制御と電流制御とは共にマイコン部５からの信号によって行われるように構成されている。
【００１７】
スイッチ２２がオンされると、マイコン部５は各照明制御部５２の出力電圧を、予め設定されているすべての種類の灯具３１，３２，３３，３４に内蔵されているＬＥＤ３１０，３２０，３３０，３４０についてのいずれのＶｆよりも低い電圧に規制する。この状態では端子部４１，４２，４３，４４のいずれに接続されている灯具も発光しないが、例えば灯具３１に取り付けられている抵抗３１１には電流が流れる。この抵抗３１１は照明制御部５２内に内蔵されている抵抗に対して直列に接続されるように構成されているので、この抵抗３１１に応じた分圧が照明制御部５２内に発生する。その分圧をマイコン部５が読み取り、マイコン部５は端子部４１に接続されている灯具３１の機種を判別する。
【００１８】
灯具３１の機種が判別すると、灯具３１について予め設定されている電流になるように照明制御部５２は定電流制御を行う。また、スイッチ２２がオンにされた時点で例えば端子部４２に灯具３２が接続されていない状態であれば、端子部４２に接続されている照明制御部５２は上述のように、すべてのＶｆより低い電圧を出力しているので、その状態で端子部４２に灯具３２が接続されても、灯具３２のＬＥＤ３２０に突入電流が流れることがなく、また、灯具３２が接続されると印加される電圧が灯具３２のＬＥＤ３２０のＶｆを越える前に直ちに灯具３２の機種判別が行われ、灯具３２について予め設定された定電流制御が行われる。
【００１９】
ところで、定電流制御が行われる状態では、印加される電圧はＶｆを越えているので、マイコン部５に入力される信号のゲインが高いが、機種判別する状態では印加される電圧がＶｆよりも低いので、分圧された電圧が低く、従って、マイコン部５に入力される信号のゲインが低くなる。
【００２０】
そこで、図４に示すように、例えば灯具３１について説明すると、灯具３１の抵抗３１１が直列に接続される抵抗として２個の抵抗５２１，５２２を設け、定電流制御をする際にはトランジスタ５２４をオン状態にして抵抗５２１を短絡させるが、機種判別を行う際にはトランジスタ５２４をオフにしてアンプ５２３に入力される分圧のゲインを上げるようにした。なお、アンプ５２３の出力は上記マイコン部５に入力される。
【００２１】
以上の説明は抵抗に判別用のダイオードが直列に接続されていない灯具３１についてのものであった。このように判別用ダイオードが直列に接続されていない灯具では、抵抗値が変わると、図５のＡで示す比例線の傾きが変化する。このように抵抗値によって傾きが変化するので、印加する電圧と電流値とから抵抗値を求めることができ、その抵抗値から機種を特定することができる。
【００２２】
次に、例えば灯具３２のように抵抗３２１に判別用ダイオード３２２が直列に接続されている場合、判別用ダイオード３２２のＶｆＤより高い電圧を灯具３２に印加するまでは抵抗３２１に電流が流れない。そして、印加する電圧がＶｆＤを超えた状態で抵抗３２１に電流が流れる。従って、図５のＢで示す比例線の関係になる。上記灯具３１の抵抗３１１の抵抗値と灯具３２の抵抗３２１の抵抗値とが同じであればＢの傾きとＡの傾きとは同じになるが、灯具３２の抵抗３２１の抵抗値を変えればＢの傾きが変化する。
【００２３】
同じく、灯具３４のように抵抗３４１に２個の検出用ダイオード３４２，３４３を直列に接続すると、図５の比例線Ｃに示すように、２ＶｆＤの点を起点とする直線の傾きで灯具３４の抵抗３４１の抵抗値を求めることができる。
【００２４】
このように、検出用ダイオードの有無及び個数によって灯具の種類をグループ化することができ、かつ各グループ毎に複数種類の灯具を設定することができるので、全体として多くの種類の灯具を設定することができる。上記実施の形態では検出用ダイオードを２個設けたものまで示したが、無論のこと、さらに３個、４個と必要に応じて多数設けてグループ数を増やしてもよい。
【００２５】
なお、本発明は上記した形態に限定されるものではなく、本発明の要旨を逸脱しない範囲内において種々の変更を加えてもかまわない。
【符号の説明】
【００２６】
１ 浴室
２ 電源部
５ マイコン部
２１ 商用電源
２２ スイッチ
３１ 灯具
３２ 灯具
３３ 各灯具
３４ 灯具
５１ 変換部
５２ 照明制御部
３１１，３２１，３３１，３４１ 抵抗
５２１，５２２ 抵抗
５２３ アンプ
５２４ トランジスタ
【図１】
2018198184.tif 000003
【図２】
2018198184.tif 000004
【図３】
2018198184.tif 000005
【図４】
2018198184.tif 000006
【図５】
2018198184.tif 000007